(57)【要約】【課題】家事や育児、体を使った作業、およびスポーツ中などの体を動かしている際に好適に用いることができる携帯型芳香器具を提供する。具体的には、スポーツなどで体を動かすことでより一層芳香成分が広がる、携帯型芳香器具を提供する。【解決手段】芳香成分を発する芳香器具本体２と、この芳香具器具本体２の左右に取り付けられた紐状体６と、を備えた携帯型芳香器具１であって、前記芳香器具本体２は、内部の収容空間10に、芳香剤を吸収する芳香剤吸収体４を内蔵しており、前記紐状体６は、前記芳香器具本体２の左右に設けられ前記収容空間10と連通する紐貫通孔21,22にスライド自在に貫通するとともに、先端に抜止具61,62が固定されている、携帯型芳香器具１とした。【選択図】図１
2015173864.tif 000002
【特許請求の範囲】
【請求項１】
芳香成分を発する芳香器具本体と、この芳香具器具本体の左右に取り付けられた紐状体と、を備えた携帯型芳香器具であって、
前記芳香器具本体は、内部の収容空間に、芳香剤を吸収する芳香剤吸収体を内蔵しており、
前記紐状体は、前記芳香器具本体の左右に設けられ前記収容空間と連通する紐貫通孔にスライド自在に貫通するとともに、先端に抜止具が固定されている、
携帯型芳香器具。
【請求項２】
抜止具と芳香剤吸収体との間に、０．５〜３ｍｍのクリアランスを有する、
請求項１記載の携帯型芳香器具。
【請求項３】
芳香器具本体は、互いに連結自在な左右の本体ピースからなり、
前記左右の本体ピースは、相手との連結側で対面方向に開口した左右の開口空間を備え、
前記左右の本体ピースを互いに連結することで、前記左右の開口空間が互いの開口部で連続して収容空間を形成するように構成されている、
請求項１又は２記載の携帯型芳香器具。
【請求項４】
左右の開口空間は、開口部が円形の略円筒状であるとともに、互いの径が異なっており、
芳香剤吸収体は、径が小さい方の開口空間の径と概ね等しい対角線長を備えた正四角柱状である、
請求項３記載の携帯型芳香器具。
【請求項５】
芳香剤吸収体が和紙である、
請求項１〜４何れか記載の携帯型芳香器具。
【請求項６】
携帯型芳香器具がネックレスである、
請求項１〜５何れか記載の携帯型芳香器具。
【請求項７】
携帯型芳香器具がブレスレットである、
請求項１〜５何れか記載の携帯型芳香器具。
【請求項８】
スポーツを行う際に用いられる、
請求項１〜７何れか記載の携帯型芳香器具。
【発明の詳細な説明】
【技術分野】
【０００１】
本発明は、携帯型芳香器具に関する。特に、アロマペンダントやアロマブレスレットとしてスポーツ中に用いるのに好適な携帯型芳香器具に関する。
【背景技術】
【０００２】
近年、ミント等の香りが心身をリラックスさせるなどの効果（アロマテラピー効果）をもたらす事実が医学的に証明され、これに伴い屋内等で芳香性の植物から抽出した精油（エッセンシャルオイル）を香炉等で揮発させて心身をリラックスさせる一種のアロマテラピーが行われてきている。また、ある種の香りによって、アルツハイマー型認知症が改善したとの報告もあり、注目を集めている。
しかし、屋内等でアロマテラピーを行うのが通常であり、香炉等を持ち運びすることは難しいため、いつでもアロマテラピー効果を得ることはできなかった。
【０００３】
そこで、身に着けて持ち運びすることが可能な携帯型芳香器具が提唱されている。このような携帯型芳香器具としては、例えば、芳香剤を内部に収容するとともに、この芳香剤に含まれる香りを外部に漂わせるための通気孔を設けたものがある。
【０００４】
例えば、鎖（紐状体）を取り付けたペンダントタイプの携帯型芳香器具であれば、首から吊り下げて胸元にアクセサリーとして身に着けることにより、自然気化した香りが徐々に通気孔から外部に漂い、この香りが口からと鼻腔より吸収され大脳に届くことによって、外出先であっても手軽にアロマテラピー効果を得ることができる。
【０００５】
このようなペンダントタイプの携帯型芳香器具としては、例えば、下記先行特許文献１に記載されているものがある。また、ブレスレッドタイプの携帯型芳香器具としては、例えば、下記先行特許文献２に記載されているものがある。
【先行技術文献】
【特許文献】
【０００６】
【特許文献１】実開平６−３８６２８号公報（図１）
【特許文献２】特開２００３−２６５２０８号公報（図４、図１５）
【発明の概要】
【発明が解決しようとする課題】
【０００７】
アロマテラピー効果が必要になるのは、通常、安静にしているときと考えがちであるが、そうとは限らない。例えば、体を動かしている際（家事や育児、体を使った作業、スポーツ中など）においても、心身をリラックスさせることは重要である。これらの体を動かしている際には、携帯型芳香器具から発せられた香りが放散しがちとなるため、携帯型芳香器具から発せられる香りが強くなるようにすることが好ましい。
【０００８】
本発明は、上記課題を解決するものであり、家事や育児、体を使った作業、およびスポーツ中などの体を動かしている際に好適に用いることができる携帯型芳香器具を提供することを目的とする。
【課題を解決するための手段】
【０００９】
上記課題を解決するために、芳香成分を発する芳香器具本体と、この芳香具器具本体の左右に取り付けられた紐状体と、を備えた携帯型芳香器具であって、前記芳香器具本体は、内部の収容空間に、芳香剤を吸収する芳香剤吸収体を内蔵しており、前記紐状体は、前記芳香器具本体の左右に設けられ前記収容空間と連通する紐貫通孔にスライド自在に貫通するとともに、先端に抜止具が固定されている、携帯型芳香器具とした。
【００１０】
この携帯型芳香器具は、携帯型芳香器具の装着者が運動する（体を動かす）のに伴って芳香器具本体や紐状体が上下左右に動くと、紐状体が紐貫通孔を左右にスライドし、紐状体の先端部に固定された抜止具が芳香剤吸収体に衝突して芳香成分が外部に一層拡散する。これによって、携帯型芳香器具からの香りが強くなり、運動している際に好適に用いることができる携帯型芳香器具となる。
【００１１】
ここで、抜止具と芳香剤吸収体との間に、０．５〜３ｍｍのクリアランスを有する、携帯型芳香器具とすることができる。
【００１２】
この携帯型芳香器具は、抜止具と芳香剤吸収体との間に所定のクリアランスを有することによって、紐状体の先端部に固定された抜止具が芳香剤吸収体に衝突する際の衝撃が強くなりやすいため、芳香成分が外部により一層拡散しやすい。クリアランスが０．５ｍｍ未満であると、抜止具が芳香剤吸収体に衝突する際の衝撃が弱くなりがちである。またクリアランスが３ｍｍを超えると、抜止具が芳香剤吸収体に衝突する頻度が減る傾向にある。抜止具と芳香剤吸収体との間のクリアランスは、より好ましくは１〜２ｍｍである。
【００１３】
また、芳香器具本体は、互いに連結自在な左右の本体ピースからなり、前記左右の本体ピースは、相手との連結側で対面方向に開口した左右の開口空間を備え、前記左右の本体ピースを互いに連結することで、前記左右の開口空間が互いの開口部で連続して収容空間を形成するように構成されている、携帯型芳香器具とすることもできる。
【００１４】
この携帯型芳香器具は、芳香剤吸収体を出し入れしやすく、芳香剤吸収体に芳香剤を吸収させたり芳香剤吸収体を交換したりしやすい。
【００１５】
このとき、左右の開口空間は、開口部が円形の略円筒状であるとともに、互いの径が異なっており、芳香剤吸収体は、径が小さい方の開口空間の径と概ね等しい対角線長を備えた正四角柱状である、携帯型芳香器具とすることが好ましい。
【００１６】
この携帯型芳香器具は、芳香剤吸収体が、径が小さい方の開口空間の径と概ね等しい対角線長を備えた正四角柱状であるため、径が小さい方の開口空間に芳香剤吸収体を差し込んで芳香剤吸収体を位置固定することができ、芳香剤を吸収させる際に手が汚れにくいなど作業性が高いものとなる。
また、左右の開口空間は開口部が円形の略円筒状であるため、正四角柱状の芳香剤吸収体の側面との間に生じる隙間に芳香成分が充満しやすく、より強い香りを安定的に発散することができる携帯型芳香器具となる。
さらに、径が大きい方の開口空間と正四角柱状の芳香剤吸収体との間に生じる隙間はさらに広くなり、より強い香りを安定的に発散することができるという効果が補強されるとともに、左右の本体ピースを連結させやすい携帯型芳香器具となる。
【００１７】
芳香剤吸収体が和紙である携帯型芳香器具とすることもできる。
【００１８】
和紙は、芳香剤の吸収性が高く、また、スポンジ等と比較して高強度であるため、抜止具が芳香剤吸収体に衝突して芳香成分が外部に拡散するという作用を備えた本件発明には最適である。
【００１９】
携帯型芳香器具がネックレス又はブレスレットである携帯型芳香器具とすることもできる。また、スポーツを行う際に用いられる携帯型芳香器具（スポーツ用の携帯型芳香器具）とすることもできる。
【発明の効果】
【００２０】
本発明により、家事や育児、体を使った作業、およびスポーツ中などの体を動かしている際に好適に用いることができる携帯型芳香器具を提供することができる。
【図面の簡単な説明】
【００２１】
【図１】携帯型芳香器具の正面図および断面図である。
【図２】左右の本体ピースを離した携帯型芳香器具の正面図および断面図である。
【図３】図２のＡ-Ａ線に沿う拡大断面図である。
【図４】抜止具と芳香剤吸収体との間のクリアランスを例示する断面図および部分拡大断面図である。
【図５】一方の抜止具が芳香剤吸収体に衝突する様子を例示する断面図である。
【図６】他方の抜止具が芳香剤吸収体に衝突する様子を例示する断面図である。
【図７】ブレスレットとしての携帯型芳香器具を例示する図である。
【発明を実施するための形態】
【００２２】
以下、図を用いて携帯型芳香器具１を例示説明する。本発明およびその構成要素は、以下の説明に限定されるものではない。携帯型芳香器具１は、芳香器具本体２と紐状体６を備える。以下、各構成要素ごとに詳説する。なお、図５および図６については、(a)図にのみ符号を付し(b)図の符号は省略してある。
【００２３】
［芳香器具本体］
芳香器具本体２は、芳香成分を発するものである。芳香器具本体２の内部には、芳香剤吸収体４を収容する収容空間10が形成されている。収容空間10は、左右の開口空間310,320（図２参照）が互いの開口部で連続することによって形成されている。そして、芳香器具本体２の左右には、収容空間10と連通する紐貫通孔21,22が設けられている。この紐貫通孔21,22には、後述する紐状体６がスライド自在に貫通する。本実施形態では、芳香器具本体２は横長状である。
【００２４】
また、芳香器具本体２は、互いに連結自在な左右の本体ピース31,32で構成されている。左右の本体ピース31,32は、相手との連結側で対面方向に開口した左右の開口空間310,320（図２参照）を備えている。本実施形態では、左右の開口空間310,320は、開口部が円形の略円筒状（横にした状態の略円筒状）である。本実施形態では、左右の本体ピース31,32の材料として、腐食しにくくて重量のあるステンレスを用いた。
【００２５】
さらに、本実施形態では、略円筒状の左右の開口空間310,320は、互いの径が異なっている。図２を用いて詳説すると、図中左側の本体ピース32の開口空間320の径Ｄ2は、図中右側の本体ピース31の開口空間310の径Ｄ1よりも大きく形成されている。後述するように、図中右側の本体ピース31の開口空間310の径Ｄ1は、芳香剤吸収体４（正四角柱状）の断面の対角線長と概ね等しい長さとなっている。
【００２６】
このように構成された左右の本体ピース31,32を互いに連結することで、左右の開口空間310,320が互いの開口部で連続して収容空間10を形成する。本実施形態では、左右の本体ピース31,32をネジ込み式とし、雄ネジ側にはゴム製のオーリング５を外嵌めしてある。
【００２７】
この収容空間10に芳香剤吸収体４が収納される。芳香剤吸収体４は芳香剤を吸収することができれば、素材は特に制限されない。芳香剤吸収体４としてスポンジや和紙などを用いることができるが、吸水性、保水性、および耐久性を考慮すると、和紙を用いることが好ましい。芳香剤吸収体４は芳香剤（芳香液）が染みこんだ状態で収容空間10に収納される。芳香剤吸収体４に吸収された芳香剤から放出される芳香成分は、主に、本体ピース32に開いた通気孔321を通って外部に拡散される。本実施形態では、本体ピース32に四個の通気孔321を設けてある。
【００２８】
本実施形態では、正四角柱状の横長状の芳香剤吸収体４を用いた。そして、図３に示すように、芳香剤吸収体４の正四角形状断面の対角線長Ｌが、径が小さい方の開口空間310の径Ｄ1（本体ピース31の開口空間310の径）とほぼ等しくなるように芳香剤吸収体４を形成した。ここで、芳香剤吸収体４の正四角形状断面の対角線長Ｌが、開口空間310の径Ｄ1と同じ径ないしは開口空間310の径Ｄ1に１割増しの径とすることが好ましい（Ｄ1≦Ｌ≦Ｄ1×1.1）。芳香剤吸収体４を横長状とすることで、芳香剤吸収体４に染み込んだ芳香剤が長手方向に均等に分布しやすくなる。
【００２９】
［紐状体］
紐状体６は、芳香具器具本体２の左右に取り付けられている。図７に示す様に、一本の紐状体６を用いて、その左右両端を芳香具器具本体２の左右に取り付けてループ状の紐状体６とすることができる。
紐状体６の材料は特に制限されない。例えば、スポーツの用途などでは、シリコーン樹脂製の紐状体６を用いることができる。
【００３０】
紐状体６は、芳香器具本体２の左右に設けられ収容空間10と連通する紐貫通孔21,22に、スライド自在に貫通している。詳説すると、紐状体６が長手方向にスライドする様に、紐貫通孔21,22の大きさが紐状体６の太さよりも大きく形成されている。本実施形態では、断面円形状の紐状体６を用いており、この径よりも大きな径の紐貫通孔21,22としてある。紐状体６は長手方向にスライド自在であるだけでなく円周方向に沿って回転自在でもある。これによって、体を動かす運動などによって芳香器具本体２が回転しても紐状体６がねじれにくくなっている。
【００３１】
そして、紐状体６の先端部には、紐状体６が紐貫通孔21,22から抜けてしまうのを防止する目的で、抜止具61,62が固定されている。抜止具61,62は、紐貫通孔21,22を通過しない大きさとしてある。本実施形態では、抜止具61,62の材料としてステンレスを用い、紐貫通孔21,22よりも大きな径の円柱状としてある。抜止具61,62の材料としては、腐食しにくく比重の大きなものを用いることが好ましい。金属類、中でもステンレスが抜止具61,62の材料として好ましい。抜止具61,62は、本体ピース31,32の開口空間310,320の底部にそれぞれ設けてある抜止具収納空間に収納される。径が小さい方の開口空間310の底部には、これと同じ径の抜止具収納空間が形成され、径が大きい方の開口空間320の底部には、これよりも小さい径の抜止具収納空間（径が小さい方の開口空間310と同じ径）が形成されている。
【００３２】
［携帯型芳香器具の芳香拡散効果］
このようにして構成された携帯型芳香器具１の芳香拡散効果について説明する。携帯型芳香器具１は、芳香器具本体２の内部で、左右の紐状体６、これら先端の抜止具61,62、および芳香剤吸収体４が直線的に並んでいるような構成となっている。
【００３３】
ネックレスやブレスレットとして携帯型芳香器具１を装着して体を動かすと、芳香器具本体２や紐状体６が上下左右に動く。すると、紐状体６が紐貫通孔21,22を左右にスライドし、紐状体６の先端部に固定された抜止具61,62が芳香剤吸収体４に衝突して芳香成分が外部に拡散することになる（図５および図６参照）。特に、左右の動きの激しいスポーツなどでは、芳香器具本体２が左右に激しく動き、紐状体６の先端部に固定された抜止具61,62が芳香剤吸収体４に激しく衝突して、より一層、芳香成分が外部に拡散することになる。激しい運動をしている時ほど、携帯型芳香器具１からの香りが強くなり、リラックス効果など、運動している際に好適に用いることができる。
【００３４】
ここで、図４に示すように、抜止具61,62と芳香剤吸収体４との間に所定のクリアランス（間隔、距離）Ｃを有することによって、紐状体６の先端部に固定された抜止具61,62が芳香剤吸収体４に衝突する際の衝撃が強くなりやすいため、芳香成分が外部により一層拡散しやすい。クリアランスＣは、芳香器具本体２の左右方向に左右の紐状体６を引っ張って、さらに芳香剤吸収体４の一方の端面を一方の抜止具(61,62)に当接させた状態で、他方の抜止具と芳香剤吸収体４の他方の端面との間に生じる隙間を指す。
【００３５】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更及び修正が可能である。
【符号の説明】
【００３６】
１  携帯型芳香器具
10  収容空間
２  芳香器具本体
21  紐貫通孔
22  紐貫通孔
31  本体ピース（図中右側）
310  開口空間
32  本体ピース（図中左側）
320  開口空間
321  通気孔
４  芳香剤吸収体
５  オーリング
６  紐状体
61  抜止具
62  抜止具
Ｄ1  径が小さい方の開口空間の径（内径）
Ｄ2  径が大きい方の開口空間の径（内径）
Ｌ  対角線長
Ｃ  クリアランス
Ｂ  ブレスレット
【図１】
2015173864.tif 000003
【図２】
2015173864.tif 000004
【図３】
2015173864.tif 000005
【図４】
2015173864.tif 000006
【図５】
2015173864.tif 000007
【図６】
2015173864.tif 000008
【図７】
2015173864.tif 000009